(57)【要約】【課題】受領印捺印票が配送作業の途上で破損したり汚れないように保護しうる収納部付き配送伝票を提供する。【解決手段】収納部付き配送伝票１は、受領印捺印票である納品書、貼付票８、配達票９を区画形成し、少なくとも納品書は分離可能に形成してなる基材シートと、貼付票８及び配達票９の裏面側に疑似接着層３１を介して剥離可能に接着してなるタックシート３２と、このタックシート３２の裏面側に設けた接着層３３を被覆保護する剥離シート３４とからなり、疑似接着層３１における貼付票８の一端側に達する所定部に接着機能抑制層３６を設けて貼付票８をタックシート３２に対して非接着とする領域を形成し、この非接着領域をもって貼付票８とタックシート３２との間に分離した納品書を収納する一端が開口した収納部３７としたものである。【選択図】　　　　図３
2004034357.tif 000002
【特許請求の範囲】
【請求項１】
受領印捺印票、貼付票、配達票を区画形成し、少なくとも前記受領印捺印票は分離可能に形成してなる基材シートと、前記貼付票及び前記配達票の裏面側に疑似接着層を介して剥離可能に接着してなるタックシートと、このタックシートの裏面側に設けた接着層を被覆保護する剥離シートとからなる配送伝票であって、前記貼付票に対応する前記疑似接着層には、前記貼付票の一端側に達する所定部分に接着機能抑制層を設けて、前記貼付票を前記タックシートに対して非接着とする領域を形成し、この非接着領域によって前記貼付票と前記タックシートとの間に分離した前記受領印捺印票を収納する一端が開口した収納部を形成したことを特徴とする収納部付き配送伝票。
【請求項２】
収納部の開口端を除く三周縁部に沿って永久接着層を設けたことを特徴とする請求項１記載の収納部付き配送伝票。
【発明の詳細な説明】
【０００１】
【発明の属する技術分野】
本発明は、配送作業に使用する配送伝票に関し、特に、分離した、受領票や納品書などの配送先で受領印の捺印を受ける、受領印捺印票を収納した状態で配送できる配送伝票に関する。
【０００２】
【従来の技術】
従来から種々の構成の配送伝票が知られているが、貼付票、配達票、受領印捺印票を並列的に設けている配送伝票では、配送品の届け先で受領印の捺印を受ける、受領票や納品書などの受領印捺印票は、配送伝票の基材に対して剥離可能に設けているのが一般的である。そして、受領印捺印票は、配送品に貼付票とともに貼付された状態で届け先に至り、届け先で剥離されて受領印の捺印を受けることになる。
【０００３】
【発明が解決しようとする課題】
このため、従来においては、受領印捺印票は露出状態にあるので、配送作業の途上で破損や汚れが生じるなどの不都合がある。本発明は、このような従来の不都合を解消した収納部付き配送伝票を提供することを目的とする。
【０００４】
【課題を解決するための手段】
この目的を達成するために、本願発明の請求項１に記載した収納部付き配送伝票は、受領印捺印票、貼付票、配達票を区画形成し、少なくとも前記受領印捺印票は分離可能に形成してなる基材シートと、前記貼付票及び前記配達票の裏面側に疑似接着層を介して剥離可能に接着してなるタックシートと、このタックシートの裏面側に設けた接着層を被覆保護する剥離シートとからなる配送伝票であって、前記貼付票に対応する前記疑似接着層には、前記貼付票の一端側に達する所定部分に接着機能抑制層を設けて、前記貼付票を前記タックシートに対して非接着とする領域を形成し、この非接着領域によって前記貼付票と前記タックシートとの間に分離した前記受領印捺印票を収納する一端が開口した収納部を形成したことを特徴とする。
【０００５】
また、本願発明の請求項２に記載した収納部付き配送伝票は、上記請求項１の構成において、収納部の開口端を除く三周縁部に沿って永久接着層を設けたことを特徴とするものである。
【０００６】
【発明の実施の形態】
以下、本発明の好適な実施の形態を添付図面に基づいて詳細に説明する。ここにおいて、図１は納付部付き配送伝票の平面図、図２はそのＡ−Ａ線断面図、図３は同じくＢ−Ｂ線断面図、図４は分離した受領印捺印票である納品書を収納部に収納した状態の平面図である。
【０００７】
図１及び図２に示すように、収納部付き配送伝票１は、基材シート２にミシン目３，４で分離可能に形成した受領印捺印票たる納品書５と、配送品をピッキングするための配送品リスト書６と、前記ミシン目４とスリット７で区画形成した貼付票８と配達票９とを備える。
【０００８】
納品書５の表面には、「納品書」という表題１０、伝票番号１１、届け先記入欄１２、依頼主記入欄１３、商品名記入欄１４及び受領印捺印欄１５を設けている。配送品リスト書６の表面には、「配送品リスト」という表題１６、伝票番号１７及び配送品リスト欄１８を設けている。貼付票８の表面には、「貼付票」という表題１９、伝票番号２０、受付年月日記入欄２１、届け先記入欄２２、依頼主記入欄２３、商品名記入欄２４を設けている。配達票９の表面には、「配達票」という表題２５、伝票番号２６、受付年月日記入欄２７、届け先記入欄２８、依頼主記入欄２９、商品名記入欄３０を設けている。
【０００９】
図２及び図３に示すように、貼付票８及び配達票９の裏面側には、接着後に剥離可能な接着力の弱い接着剤からなる疑似接着層３１を介して剥離可能にタックシート３２を接着し、このタックシート３２の裏面側には、一般的な粘着剤からなる接着層３３を被覆保護する剥離シート３４を剥離可能に設けてなる。
【００１０】
図３に示すように、疑似接着層３１における貼付票８に対応する部分には、前記貼付票８の配送品リスト書６側の一端を除いた三周縁部に沿って、接着後に剥離困難な通常の接着力を有する接着剤を塗布してなる永久接着層３５を設けている。そして、この永久接着層３５で囲まれた疑似接着層３１部分に、接着機能を抑制するためのベタ印刷による接着機能抑制層３６を設けて、前記貼付票８をタックシート３２に対して非接着とする非接着領域を形成し、この非接着領域をもってミシン目４側一端が開口した収納部３７を構成している。
【００１１】
本実施形態は以上のように構成したので、まず、図１及び図２状態において、納品書５、配送品リスト書６、貼付票８、配達票９の各記入欄１２，１３，１４，１８，２１，２２，２３，２４，２７，２８，２９，３０に、所定の事項を記入する。次に、前記配送品リスト書６に記入された商品をピッキングして、配送容器（図示せず）内に収納したうえ封着し、各ミシン目３，４を破断して、納品書５と配送品リスト書６を分離する一方、剥離シート３４を剥離し、露出した接着層３３によりタックシート３２を介して、貼付票８と配達票９とを配送容器に貼付する。
【００１２】
続いて、図４に示すように、納品書５を二つ折りして、貼付票８の裏面側に位置する収納部３７に、商品名記入欄２４側一端の開口部から挿入して収納し、配送作業を行うものである。この収納作業は、接着機能抑制層３６により形成される非接着領域の存在によって、容易に行われる。そして、一旦収納部３７に収納した納品書５は、強制的に引き出さない限り、収納部３７から離脱することはない。届け先においては、前記納品書５を収納部３７から引き出して、受領印捺印欄１５に受領印の捺印を受け、配送品を渡す一方、納品書５を持ち帰るものである。
【００１３】
なお、本発明は、上述の実施形態に限定されるものではなく、例えば、収納部付き配送伝票１を構成する伝票は、受領印捺印票としては納品書５に替えて受領票を設けてもよく、また、商品リスト書６は必ずしも設ける必要はない。
【００１４】
【発明の効果】
以上のように、本発明の請求項１に記載の収納部付き配送伝票によれば、受領印捺印票を収納部に収納して、確実に保護した状態で配送作業を行うことができるので、配送作業中に受領印捺印票が破損したり、汚れたりすることがないという効果を奏する。
【００１５】
また、本発明の請求項２に記載の収納部付き配送伝票によれば、上述した効果に加えて、収納部の形成をより確実に行うことができるという効果を奏する。
【図面の簡単な説明】
【図１】納付部付き配送伝票の平面図。
【図２】図１のＡ−Ａ線断面図。
【図３】図１のＢ−Ｂ線断面図。
【図４】受領印捺印票である納品書を収納部に収納した状態の平面図
【符号の説明】
１　　　収納部付き配送伝票
２　　　基材シート
３，４　　　ミシン目
５　　　納品書
６　　　配送品リスト書
７　　　スリット
８　　　貼付票
９　　　配達票
３１　　　疑似接着層
３２　　　タックシート
３３　　　接着層
３４　　　剥離シート
３５　　　強接着層
３６　　　接着機能抑制層
３７　　　収納部
【図１】
2004034357.tif 000003
【図２】
2004034357.tif 000004
【図３】
2004034357.tif 000005
【図４】
2004034357.tif 000006